(57)【特許請求の範囲】
【請求項１】
被係止部を有するシート状又は板状の接続対象物を前後方向における前端から後側に向けて挿入されるコネクタであって、
ハウジングと、開状態と閉状態との間で回転可能となるように前記ハウジングに支持されたアクチュエータと、前記前後方向と直交するピッチ方向に並ぶように前記ハウジングに保持された複数の信号コンタクト及び保持部材とを備えており、
前記信号コンタクトと前記保持部材とは同一の形状を有しており、
前記信号コンタクト及び前記保持部材の夫々は、なだらかな形状の接点部と、前記前後方向において前記接点部の後側に位置し且つ角張った形状の係止部とを有しており、
前記接続対象物が前記コネクタに挿入されると共に前記アクチュエータが前記閉状態にあるとき、前記信号コンタクトの前記接点部は、前記接続対象物に押し付けられる一方、前記信号コンタクトの前記係止部は、前記前後方向及び前記ピッチ方向の双方と直交する垂直方向において前記接続対象物から離れて位置しており、前記保持部材の前記係止部は、前記前後方向において前記接続対象物の前記被係止部の前側に位置し、前記接続対象物の前方への移動を規制する規制位置に位置しており、
前記信号コンタクト及び前記保持部材の夫々は、支持部と、前記支持部から前記垂直方向に向けて突出すると共に前記垂直方向において変位可能となるように前記支持部に支持された突出部とを有しており、
前記接点部と前記係止部は、前記突出部に形成されており、
前記突出部は、前記係止部から前記支持部に向かう後縁を有しており、
前記保持部材の前記突出部の前記後縁は、前記アクチュエータが前記閉状態にあるとき、前記係止部から斜め前方に向かって延び始め、前記支持部まで延びている
コネクタ。
【請求項２】
請求項１記載のコネクタであって、
前記接続対象物が挿入されると共に前記アクチュエータが前記開状態にあるとき、前記保持部材の前記係止部が前記接続対象物の前記被係止部の前側の位置である仮保持位置に位置しており、
前記保持部材の前記係止部が前記仮保持位置に位置しているとき、前記接続対象物の前記被係止部と前記保持部材の前記突出部とは前記垂直方向において重複しており、
前記保持部材単体のときを基準とした前記保持部材の前記突出部の変位量は、前記保持部材の前記係止部が前記規制位置に位置しているときの方が前記保持部材の前記係止部が前記仮保持位置に位置しているときよりも大きい
コネクタ。
【請求項３】
請求項２記載のコネクタであって、
前記接続対象物の前記被係止部と前記保持部材の前記突出部の前記後縁との前記垂直方向における重複量は、前記保持部材の前記係止部が前記仮保持位置に位置しているときの方が前記保持部材の前記係止部が前記規制位置に位置しているときよりも少ない
コネクタ。
【請求項４】
請求項１記載のコネクタであって、
前記接続対象物が挿入されると共に前記アクチュエータが前記開状態にあるとき、前記保持部材の前記係止部が前記接続対象物の前記被係止部の前側の位置である仮保持位置に位置しており、
前記保持部材の前記係止部が前記仮保持位置に位置しているとき、前記接続対象物の前記被係止部と前記保持部材の前記突出部とは前記垂直方向において重複しており、
前記垂直方向において前記保持部材の前記支持部側に近い前記接続対象物の表面から前記保持部材の前記係止部までの距離は、前記保持部材の前記係止部が前記仮保持位置に位置しているときの方が前記保持部材の前記係止部が前記規制位置に位置しているときよりも短い
コネクタ。
【請求項５】
請求項２乃至請求項４のいずれかに記載のコネクタであって、
前記信号コンタクト及び前記保持部材の夫々は、前記垂直方向において前記接点部と対向する対向接点部を更に有しており、
前記アクチュエータが前記開状態にあるとき、前記保持部材の前記接点部と前記対向接点部との間の距離は、前記信号コンタクトの前記接点部と前記対向接点部との間の距離よりも小さい
コネクタ。
【請求項６】
請求項２乃至請求項５のいずれかに記載のコネクタであって、
前記アクチュエータには、前記開状態と前記閉状態とで前記保持部材に異なる力を加える保持用カムと、前記開状態と前記閉状態とで前記信号コンタクトに異なる力を加える接触用カムとが設けられており、
前記保持用カムは、前記接続対象物が挿入されると共に前記アクチュエータが前記開状態にあるとき、前記保持部材の前記係止部を前記仮保持位置に位置させるように前記保持部材に対して力を加え、且つ、前記接続対象物が挿入されると共に前記アクチュエータが前記閉状態にあるとき、前記保持部材の前記係止部を前記規制位置に位置させるように前記保持部材に対して更に力を加えるように形成されており、
前記接触用カムは、前記接続対象物が挿入されると共に前記アクチュエータが前記開状態にあるときには前記信号コンタクトに対して力を加えず、且つ、前記接続対象物が挿入されると共に前記アクチュエータが前記閉状態にあるとき、前記信号コンタクトの前記接点部を前記接続対象物に対して押し付けるように形成されている
コネクタ。
【請求項７】
請求項６記載のコネクタであって、
前記信号コンタクト及び前記保持部材の夫々は、基部と、前記基部から前記垂直方向に延びる立設部と、前記前後方向において前記立設部から後方に向かって延びる被押圧部とを更に有しており、
前記支持部は、前記立設部から前方に向かって延びており、
前記被押圧部は、前記垂直方向において前記基部と対向しており、且つ、前記アクチュエータの前記保持用カム又は前記接触用カムを前記基部と挟持することにより前記保持用カム又は前記接触用カムから力を受ける
コネクタ。
【請求項８】
請求項７記載のコネクタであって、
前記基部には、前記垂直方向において前記被押圧部側に向かって突出した抜け止め突起が形成されており、
前記保持部材の前記抜け止め突起は、前記前後方向において、前記保持用カムの後側に位置している
コネクタ。
【発明の詳細な説明】
【技術分野】
【０００１】
本発明は、ＦＰＣ（Flexible Printed Circuit）やＦＦＣ（Flexible Flat Cable）のような板状又はシート状の対象物と接続するコネクタに関する。
【背景技術】
【０００２】
アクチュエータが開状態にあるときに板状又はシート状の対象物をコネクタに仮保持するための機能を有するコネクタとしては、例えば、特許文献１や特許文献２に開示されたものがある。
【０００３】
特許文献１のコネクタは、図１４に示されるように、第二端子（信号コンタクト）とほぼ同一形状であるが第二端子の押圧突部よりもサイズの大きい係止部を有する金具（保持部材）を備えており、その金具の係止部によって平型導体（対象物）の保持を行っている。ここで、金具の係止部は、第二端子の押圧突部に対応する部位であるが、第二端子の押圧突部と比較して大きなサイズを有している。
【０００４】
特許文献２のコネクタは、図１５に示されるように、コンタクト（信号コンタクト）とほぼ同一形状であるが前端の係合突部間の距離がケーブル（対象物）の厚みよりも小さい保持端子（保持部材）を備えており、その保持端子の係合突部によってケーブルの保持を行っている。
【先行技術文献】
【特許文献】
【０００５】
【特許文献１】特開２０１１−２５３６３０号公報
【特許文献２】特開２０１１−２２２２７３号公報
【発明の概要】
【発明が解決しようとする課題】
【０００６】
上述したように、特許文献１のコネクタ及び特許文献２のコネクタのいずれにおいても、対象物の保持用の保持部材を信号コンタクト等とは別に備えている。即ち、コンタクトのみで保持しているコネクタと比較して部品種別数が増えてしまっている。
【０００７】
そこで、本発明は、部品種別数を増やすことなく、コンタクトによる保持機能以外の保持機能を有することのできるコネクタを提供することを目的とする。
【課題を解決するための手段】
【０００８】
本発明は、第１のコネクタとして、
被係止部を有するシート状又は板状の接続対象物を前後方向における前端から後側に向けて挿入されるコネクタであって、
ハウジングと、開状態と閉状態との間で回転可能となるように前記ハウジングに支持されたアクチュエータと、前記前後方向と直交するピッチ方向に並ぶように前記ハウジングに保持された複数の信号コンタクト及び保持部材とを備えており、
前記信号コンタクトと前記保持部材とは同一の形状を有しており、
前記信号コンタクト及び前記保持部材の夫々は、なだらかな形状の接点部と、前記前後方向において前記接点部の後側に位置し且つ角張った形状の係止部とを有しており、
前記接続対象物が前記コネクタに挿入されると共に前記アクチュエータが前記閉状態にあるとき、前記信号コンタクトの前記接点部は、前記接続対象物に押し付けられる一方、前記信号コンタクトの前記係止部は、前記前後方向及び前記ピッチ方向の双方と直交する垂直方向において前記接続対象物から離れて位置しており、前記保持部材の前記係止部は、前記前後方向において前記接続対象物の前記被係止部の前側に位置し、前記接続対象物の前方への移動を規制する規制位置に位置している
コネクタを提供する。
【０００９】
また、本発明は、第２のコネクタとして、第１のコネクタであって、
前記信号コンタクト及び前記保持部材の夫々は、支持部と、前記支持部から前記垂直方向に向けて突出すると共に前記垂直方向において変位可能となるように前記支持部に支持された突出部とを有しており、
前記接点部と前記係止部は、前記突出部に形成されている
コネクタを提供する。
【００１０】
また、本発明は、第３のコネクタとして、第２のコネクタであって、
前記突出部は、前記係止部から前記支持部に向かう後縁を有しており、
前記保持部材の前記突出部の前記後縁は、前記アクチュエータが前記閉状態にあるとき、前記係止部から斜め前方に向かって延び始め、前記支持部まで延びている
コネクタを提供する。
【００１１】
また、本発明は、第４のコネクタとして、第３のコネクタであって、
前記接続対象物が挿入されると共に前記アクチュエータが前記開状態にあるとき、前記保持部材の前記係止部が前記接続対象物の前記被係止部の前側の位置である仮保持位置に位置しており、
前記保持部材の前記係止部が前記仮保持位置に位置しているとき、前記接続対象物の前記被係止部と前記保持部材の前記突出部とは前記垂直方向において重複しており、
前記保持部材単体のときを基準とした前記保持部材の前記突出部の変位量は、前記保持部材の前記係止部が前記規制位置に位置しているときの方が前記保持部材の前記係止部が前記仮保持位置に位置しているときよりも大きい
コネクタを提供する。
【００１２】
また、本発明は、第５のコネクタとして、第４のコネクタであって、
前記接続対象物の前記被係止部と前記保持部材の前記突出部の前記後縁との前記垂直方向における重複量は、前記保持部材の前記係止部が前記仮保持位置に位置しているときの方が前記保持部材の前記係止部が前記規制位置に位置しているときよりも少ない
コネクタを提供する。
【００１３】
また、本発明は、第６のコネクタとして、第３のコネクタであって、
前記接続対象物が挿入されると共に前記アクチュエータが前記開状態にあるとき、前記保持部材の前記係止部が前記接続対象物の前記被係止部の前側の位置である仮保持位置に位置しており、
前記保持部材の前記係止部が前記仮保持位置に位置しているとき、前記接続対象物の前記被係止部と前記保持部材の前記突出部とは前記垂直方向において重複しており、
前記垂直方向において前記保持部材の前記支持部側に近い前記接続対象物の表面から前記保持部材の前記係止部までの距離は、前記保持部材の前記係止部が前記仮保持位置に位置しているときの方が前記保持部材の前記係止部が前記規制位置に位置しているときよりも短い
コネクタを提供する。
【００１４】
また、本発明は、第７のコネクタとして、第４乃至第６のいずれかのコネクタであって、
前記信号コンタクト及び前記保持部材の夫々は、前記垂直方向において前記接点部と対向する対向接点部を更に有しており、
前記アクチュエータが前記開状態にあるとき、前記保持部材の前記接点部と前記対向接点部との間の距離は、前記信号コンタクトの前記接点部と前記対向接点部との間の距離よりも小さい
コネクタを提供する。
【００１５】
また、本発明は、第８のコネクタとして、第４乃至第７のいずれかのコネクタであって、
前記アクチュエータには、前記開状態と前記閉状態とで前記保持部材に異なる力を加える保持用カムと、前記開状態と前記閉状態とで前記信号コンタクトに異なる力を加える接触用カムとが設けられており、
前記保持用カムは、前記接続対象物が挿入されると共に前記アクチュエータが前記開状態にあるとき、前記保持部材の前記係止部を前記仮保持位置に位置させるように前記保持部材に対して力を加え、且つ、前記接続対象物が挿入されると共に前記アクチュエータが前記閉状態にあるとき、前記保持部材の前記係止部を前記規制位置に位置させるように前記保持部材に対して更に力を加えるように形成されており、
前記接触用カムは、前記接続対象物が挿入されると共に前記アクチュエータが前記開状態にあるときには前記信号コンタクトに対して力を加えず、且つ、前記接続対象物が挿入されると共に前記アクチュエータが前記閉状態にあるとき、前記信号コンタクトの前記接点部を前記接続対象物に対して押し付けるように形成されている
コネクタを提供する。
【００１６】
また、本発明は、第９のコネクタとして、第８のコネクタであって、
前記信号コンタクト及び前記保持部材の夫々は、基部と、前記基部から前記垂直方向に延びる立設部と、前記前後方向において前記立設部から後方に向かって延びる被押圧部とを更に有しており、
前記支持部は、前記立設部から前方に向かって延びており、
前記被押圧部は、前記垂直方向において前記基部と対向しており、且つ、前記アクチュエータの前記保持用カム又は前記接触用カムを前記基部と挟持することにより前記保持用カム又は前記接触用カムから力を受ける
コネクタを提供する。
【００１７】
また、本発明は、第１０のコネクタとして、第９のコネクタであって、
前記基部には、前記垂直方向において前記被押圧部側に向かって突出した抜け止め突起が形成されており、
前記保持部材の前記抜け止め突起は、前記前後方向において、前記保持用カムの後側に位置している
コネクタを提供する。
【発明の効果】
【００１８】
本発明は、信号コンタクトと接続対象物の保持用の保持部材とを同一形状とする一方で、それら信号コンタクト及び保持部材の夫々に対して、接触に適した形状を有する接点部と保持に適した形状を有する係止部とを設けることとしたため、信号コンタクトと保持部材との部品の共通化を図ることができる。即ち、本発明によれば、部品種別数を増やすことなく保持機能をコネクタに追加することができる。
【図面の簡単な説明】
【００１９】
【図１】本発明の実施の形態によるコネクタとＦＰＣ（接続対象物）とを示す斜視図である。図示されたコネクタにはＦＰＣはまだ挿入されていない。
【図２】図１のコネクタを示す分解斜視図である。
【図３】図１のコネクタとＦＰＣとを示す斜視図である。図示されたコネクタには、ＦＰＣが挿入されている。
【図４】図１のコネクタをIV--IV線に沿って示す断面図である。図示されたアクチュエータは開状態にある。
【図５】図１のコネクタをV--V線に沿って示す断面図である。図示されたアクチュエータは開状態にある。
【図６】図１のコネクタをVI--VI線に沿って示す断面図である。図示されたアクチュエータは開状態にある。
【図７】図４の保持部材及び図５の第１信号コンタクト（信号コンタクト）の端部を示す側面図である。
【図８】図４のコネクタを示す断面図である。図示されたコネクタにはＦＰＣが挿入されており、アクチュエータは開状態にある。
【図９】図５のコネクタを示す断面図である。図示されたコネクタにはＦＰＣが挿入されており、アクチュエータは開状態にある。
【図１０】図６のコネクタを示す断面図である。図示されたコネクタにはＦＰＣが挿入されており、アクチュエータは開状態にある。
【図１１】図４のコネクタを示す断面図である。図示されたコネクタにはＦＰＣが挿入されており、アクチュエータは閉状態にある。
【図１２】図５のコネクタを示す断面図である。図示されたコネクタにはＦＰＣが挿入されており、アクチュエータは閉状態にある。
【図１３】図６のコネクタを示す断面図である。図示されたコネクタにはＦＰＣが挿入されており、アクチュエータは閉状態にある。
【図１４】特許文献１のコネクタの異なる部位を夫々示す断面図である。
【図１５】特許文献２のコネクタに含まれるコンタクト及び保持端子を示す斜視図である。
【発明を実施するための形態】
【００２０】
図１乃至図３を参照すると、本発明の実施の形態によるコネクタ１０は、前端１２側からＸ方向（前後方向）における＋Ｘ方向に沿って（後側に向けて）挿入されたＦＰＣ（接続対象物）５０を受容する受容部１４を有している。図１に最もよく示されるように、ＦＰＣ５０は、端部５２近傍の上面に形成された複数の端子５４，５６と、Ｙ方向（ピッチ方向）の両端からＹ方向内側に向かって凹んだ凹部６０が形成されている。凹部６０の端部５２側の縁は被係止部６２として用いられる。
【００２１】
図２に最もよく示されるように、コネクタ１０は、絶縁体からなるハウジング１００と、導電体からなる保持部材２００、第１信号コンタクト（信号コンタクト）３００及び第２信号コンタクト４００と、絶縁体からなるアクチュエータ５００とを備えている。
【００２２】
図２並びに図４乃至図６に示されるように、ハウジング１００は、複数の第１保持部１１０と、複数の第２保持部１２０とを有している。第１保持部１１０と第２保持部１２０とは、Ｙ方向において交互に並んでいる。第１保持部１１０と第２保持部１２０のうち、Ｙ方向において最も外側に位置しているのは第１保持部１１０である。第１保持部１１０には、第１被圧入部１１２が設けられており、第２保持部１２０には、第２被圧入部１２２が設けられている。Ｙ方向において最も外側に位置している第１保持部１１０は、保持部材２００を保持しており、その他の第１保持部１１０は、第１信号コンタクト３００を保持している。また、第２保持部１２０は、第２信号コンタクト４００を保持している。
【００２３】
図４及び図７に示されるように、保持部材２００は、前側基部２２０及び後側基部２３０からなる基部２１０と、基部２１０から（詳しくは、前側基部２２０と後側基部２３０との境界部分から）＋Ｚ方向（上方）に延びる立設部２４０と、立設部２４０の上端から＋Ｘ方向（後方）に延びる被押圧部２５０と、立設部２４０の上端から−Ｘ方向（前方）に延びる支持部２６０と、支持部２６０の−Ｘ方向端部（前端）から−Ｚ方向（下方）に向けて突出している突出部２７０とを有している。前側基部２２０と支持部２６０とはＺ方向において対向して設けられており、後側基部２３０と被押圧部２５０とはＺ方向において対向して設けられている。前側基部２２０には、第１保持部１１０に保持される際に第１被圧入部１１２に圧入される圧入部２２２が設けられている。また、前側基部２２０の−Ｘ方向端部（前端）には、＋Ｚ方向（上方）に向けて突出した対向接点部２２４が形成されている。後側基部２３０には、後述するアクチュエータ５００の抜け止め防止用の抜け止め突起２３２が形成されている。抜け止め突起２３２は、後側基部２３０から＋Ｚ方向（上方）に隆起している。立設部２４０、被押圧部２５０及び支持部２６０は、支点、力点及び作用点の関係にある。従って、被押圧部２５０が押圧されると、立設部２４０を支点として突出部２７０が変位する。即ち、突出部２７０は、Ｚ方向において変位可能となるように支持部２６０に支持されている。
【００２４】
図７に最もよく示されるように、突出部２７０には、なだらかな形状の接点部２８０と、角張った形状の係止部２９０とが形成されている。係止部２９０は、接点部２８０の＋Ｘ側（後側）に位置している。上述した対向接点部２２４は、Ｚ方向において接点部２８０と対向している。突出部２７０は、係止部２９０から支持部２６０に向かう後縁２７２を有している。本実施の形態による後縁２７２は、ＸＺ平面内において直線状に延びる係止部２９０側の端部２７４と、ＸＺ平面内において曲線状又は円弧状に延びる支持部２６０側の端部２７６とを有している。ここで、後縁２７２は、曲線状又は円弧状に延びる部位のみを有するように形成されていてもよい。即ち、後縁２７２は、直線状の部位を有していなくともよい。逆に、後縁２７２は、直線状の部位のみを有するように形成されていてもよい。
【００２５】
図５及び図７に示されるように、第１信号コンタクト３００は、前側基部３２０及び後側基部３３０からなる基部３１０と、基部３１０から（詳しくは、前側基部３２０と後側基部３３０との境界部分から）＋Ｚ方向（上方）に延びる立設部３４０と、立設部３４０の上端から＋Ｘ方向（後方）に延びる被押圧部３５０と、立設部３４０の上端から−Ｘ方向（前方）に延びる支持部３６０と、支持部３６０の−Ｘ方向端部（前端）から−Ｚ方向（下方）に向けて突出している突出部３７０とを有している。前側基部３２０と支持部３６０とはＺ方向において対向して設けられており、後側基部３３０と被押圧部３５０とはＺ方向において対向して設けられている。前側基部３２０には、第１保持部１１０に保持される際に第１被圧入部１１２に圧入される圧入部３２２が設けられている。また、前側基部３２０の−Ｘ方向端部（前端）には、＋Ｚ方向（上方）に向けて突出した対向接点部３２４が形成されている。後側基部３３０には、抜け止め突起３３２が形成されている。立設部３４０、被押圧部３５０及び支持部３６０は、支点、力点及び作用点の関係にある。従って、被押圧部３５０が押圧されると、立設部３４０を支点として突出部３７０が変位する。即ち、突出部３７０は、Ｚ方向において変位可能となるように支持部３６０に支持されている。
【００２６】
図７に最もよく示されるように、突出部３７０には、なだらかな形状の接点部３８０と、角張った形状の係止部３９０とが形成されている。係止部３９０は、接点部３８０の＋Ｘ側（後側）に位置している。上述した対向接点部３２４は、Ｚ方向において接点部３８０と対向している。突出部３７０は、係止部３９０から支持部３６０に向かう後縁３７２を有している。
【００２７】
図４、図５及び図７から理解されるように、本実施の形態による第１信号コンタクト３００は、保持部材２００と同一の形状を有している。換言すると、本実施の形態において、第１信号コンタクト３００と保持部材２００とは、同一種の部材で構成されている。図２、図４及び図５から理解されるように、２つの保持部材２００と多数の第１信号コンタクト３００は、ハウジング１００の第１保持部１１０に対して＋Ｘ側（後側）から−Ｘ側（前方）に向けて圧入され、ハウジング１００に保持されている。この際、すべての第１信号コンタクト３００は、Ｙ方向において、保持部材２００の間に位置している。
【００２８】
図６に示されるように、第２信号コンタクト４００は、前側基部４２０及び後側基部４３０からなる基部４１０と、前側基部４２０から−Ｘ側に延びる対向支持部４４０と、基部４１０から（詳しくは、前側基部４２０と後側基部４３０との境界部分から）＋Ｚ方向（上方）に延びる立設部４５０と、立設部４５０の上端から＋Ｘ方向（後方）に延びる被押圧部４６０と、立設部４５０の上端から−Ｘ方向（前方）に延びる支持部４７０と、支持部４７０の−Ｘ方向端部（前端）から−Ｚ方向（下方）に向けて突出している突出部４８０とを有している。前側基部４２０及び対向支持部４４０と支持部４７０とはＺ方向において対向して設けられており、後側基部４３０と被押圧部４６０とはＺ方向において対向して設けられている。後側基部４３０には、第２保持部１２０に保持される際に第２被圧入部１２２に圧入される圧入部４３２が設けられている。対向支持部４４０は、前側基部４２０の立設部４５０近傍から延びており、対向支持部４４０の−Ｘ方向端部（前端）には、＋Ｚ方向（上方）に向けて突出した対向接点部４４２が形成されている。立設部４５０、被押圧部４６０及び支持部４７０は、支点、力点及び作用点の関係にある。従って、被押圧部４６０が押圧されると、立設部４５０を支点として突出部４８０が変位する。即ち、突出部４８０は、Ｚ方向において変位可能となるように支持部４７０に支持されている。
【００２９】
図６から理解されるように、第２信号コンタクト４００の突出部４８０には、なだらかな形状の接点部４９０は形成されているが、角張った形状の係止部は形成されていない。上述した対向接点部４４２は、Ｚ方向において接点部４９０と対向している。ここで、本実施の形態による第２信号コンタクト４００は、ハウジング１００の第２保持部１２０に対して−Ｘ側（前側）から＋Ｘ側（後方）に向けて圧入され、ハウジング１００に保持されている。
【００３０】
図１及び図２から理解されるように、保持部材２００及び第１信号コンタクト３００と、第２信号コンタクト４００とは、Ｙ方向において交互に配置されるようにハウジング１００に保持されている。具体的には、保持部材２００、第１信号コンタクト３００及び第２信号コンタクト４００のうち、Ｙ方向において最も外側に位置しているのは保持部材２００である。次いで、保持部材２００から近い順に、第２信号コンタクト４００、第１信号コンタクト３００、第２信号コンタクト４００、第１信号コンタクト３００、、、と並んでいる。
【００３１】
図１乃至図３から理解されるように、本実施の形態によるアクチュエータ５００は、板状の形状を有しており、開状態（図１参照）と閉状態（図３参照）との間で回転可能となるようにハウジング１００に支持されている。特に、本実施の形態によるアクチュエータ５００は、前端１２から離れる方向へ倒すことにより閉状態へ移行するものである。即ち、本実施の形態によるコネクタ１０は、所謂バックフリップタイプのものである。
【００３２】
図２及び図４乃至図６から理解されるように、アクチュエータ５００には、複数の収容溝５１０，５２０，５３０と、保持用カム５１２、第１接触用カム（接触用カム）５２２及び第２接触用カム５３２とが形成されている。詳しくは、収容溝５１０，５２０，５３０は板状のアクチュエータ５００を板厚方向において貫通しており、保持部材２００の被押圧部２５０、第１信号コンタクト３００の被押圧部３５０、第２信号コンタクト４００の被押圧部４６０を対応する収容溝５１０，５２０，５３０内で移動可能となるように夫々収容している。
【００３３】
図４、図８及び図１１に示されるように、保持用カム５１２は、アクチュエータ５００が開状態（図４及び図８参照）にあるときも閉状態（図１１参照）にあるときも、保持部材２００の被押圧部２５０と接触している。そのため、被押圧部２５０は、アクチュエータ５００が開状態にあるときも閉状態にあるときも保持用カム５１２から押圧され、＋Ｚ方向に向かう力を受けている。換言すると、保持用カム５１２は、被押圧部２５０と後側基部２３０（基部２１０）により常に挟持されている。加えて、保持部材２００の後側基部２３０に設けられた抜け止め突起２３２は、保持用カム５１２の＋Ｘ側（後側）に位置している。このように、被押圧部２５０と後側基部２３０（基部２１０）により常に挟持された保持用カム５１２の後側に抜け止め突起２３２が位置していることから、アクチュエータ５００は、閉状態にあるときのみならず、開状態にあるときであってもコネクタ１０から外れにくくなっている。
【００３４】
また、図４と図１１とを比較すれば理解されるように、アクチュエータ５００が開状態にあるときと閉状態にあるときとでは、保持用カム５１２は、被押圧部２５０に対して異なる力を加えている。具体的には、アクチュエータ５００が閉状態にあるときの保持用カム５１２は、アクチュエータ５００が開状態にあるときの保持用カム５１２と比較して、大きな力を被押圧部２５０に対して与えており、それにより、アクチュエータ５００が閉状態にあるときの突出部２７０は、アクチュエータ５００が開状態にあるときの突出部２７０と比較して、より−Ｚ側（下側）に向かうような力を受けている。
【００３５】
図８に示されるように、アクチュエータ５００が開状態にあるときであっても、突出部２７０は、保持部材２００単体のときと比較して、−Ｚ側（下側）に変位させられている。即ち、アクチュエータ５００が開状態にあるときの接点部２８０と対向接点部２２４との間の距離は、保持部材２００単体のときと比較して狭い。そのため、図８に示されるように、アクチュエータ５００が開状態にあるときにＦＰＣ５０を受容部１４に受容すると、係止部２９０が凹部６０内に入り込み、被係止部６２の−Ｘ側（前側）に位置する。即ち、本実施の形態においては、アクチュエータ５００が開状態にあるときにＦＰＣ５０を受容部１４に受容すると、Ｘ方向において係止部２９０が被係止部６２と対向している。これによって、ＦＰＣ５０は、−Ｘ側への移動を規制され、コネクタ１０に仮保持される。このときの係止部２９０の位置を仮保持位置という。即ち、保持部材２００の係止部２９０が仮保持位置に位置しているとき、ＦＰＣ５０の被係止部６２と保持部材２００の突出部２７０の後縁２７２とはＺ方向において重複している。
【００３６】
図１１に示されるように、アクチュエータ５００が閉状態にあるとき、突出部２７０は更に−Ｚ側に変位させられている。即ち、保持部材２００単体のときを基準とした保持部材２００の突出部２７０の変位量は、保持部材２００の係止部２９０が規制位置に位置しているときの方が保持部材２００の係止部２９０が仮保持位置に位置しているときよりも大きい。また、アクチュエータ５００が閉状態にあるときの接点部２８０と対向接点部２２４との間の距離は、アクチュエータ５００が開状態にあるときの接点部２８０と対向接点部２２４との間の距離よりも更に狭い。そのため、図１１に示されるように、ＦＰＣ５０を受容部１４に受容した状態でアクチュエータ５００を開状態から閉状態まで回転させると、係止部２９０が凹部６０内に更に入り込み、被係止部６０の−Ｘ側（前側）に位置する。これによって、係止部２９０が仮保持位置にあるときと比較して、ＦＰＣ５０の−Ｘ方向（前方）への移動が更に規制される。このときの係止部２９０の位置を規制位置という。即ち、保持部材２００の係止部２９０が規制位置に位置しているとき、ＦＰＣ５０の被係止部６２と保持部材２００の突出部２７０の後縁２７２とはＺ方向において重複している。
【００３７】
特に、本実施の形態においては、図７及び図１１から理解されるように、係止部２９０が規制位置にあるとき（即ち、アクチュエータ５００が閉状態にあるとき）、保持部材２００の突出部２７０の後縁２７２の係止部２９０側の端部２７４（図７参照）は、係止部２９０から斜め前方に向かって延びている。従って、ＦＰＣ５０の移動規制を確実に行うことができる。
【００３８】
なお、アクチュエータ５００が開状態にあるときと閉状態にあるときとで被押圧部２５０に加えられる力が異なることから理解されるように、また、図８及び図１１を比較すれば理解されるように、ＦＰＣ５０の被係止部６２に対する保持部材２００の突出部２７０の引っ掛かり（可能）量は、保持部材２００の係止部２９０が仮保持位置に位置しているときの方が保持部材２００の係止部２９０が規制位置に位置しているときよりも少ない。即ち、ＦＰＣ５０の被係止部６２と保持部材２００の突出部２７０の後縁２７２とのＺ方向における重複量は、保持部材２００の係止部２９０が仮保持位置に位置しているときの方が保持部材２００の係止部２９０が規制位置に位置しているときよりも少ない。換言すると、Ｚ方向において保持部材２００の支持部２６０側に近いＦＰＣ５０の表面から保持部材２００の係止部２９０までの距離は、保持部材２００の係止部２９０が仮保持位置に位置しているときの方が保持部材２００の係止部２９０が規制位置に位置しているときよりも短い。
【００３９】
図５及び図９と図１２とを比較すれば理解されるように、本実施の形態による第１接触用カム５２２は、アクチュエータ５００が開状態（図５及び図９参照）にあるときには第１信号コンタクト３００の被押圧部３５０に接触していないが、アクチュエータ５００が閉状態（図１２参照）にあるときには第１信号コンタクト３００の被押圧部３５０に接触している。そのため、本実施の形態による被押圧部３５０は、アクチュエータ５００が閉状態にあるときのみ、第１接触用カム５２２から押圧され、＋Ｚ方向に向かう力を受けている。即ち、アクチュエータ５００が開状態にあるときと閉状態にあるときとでは、第１接触用カム５２２は、被押圧部３５０に対して異なる力を加えている。正確には、本実施の形態による第１接触用カム５２２は、アクチュエータ５００が開状態にあるとき、被押圧部３５０に対して力を加えておらず、一方、アクチュエータ５００が閉状態にあるとき、被押圧部３５０に対して力を与えている。それにより、アクチュエータ５００が閉状態にあるときの突出部３７０は、アクチュエータ５００が開状態にあるときと比較して、−Ｚ側（下側）に位置している。また、第１接触用カム５２２は、アクチュエータ５００が閉状態にあるときのみ、被押圧部３５０と後側基部３３０（基部３１０）とにより挟持されている。
【００４０】
上述したことから理解されるように、また、図４及び図５から明らかであるように、アクチュエータ５００が開状態にあるとき、保持部材２００の接点部２８０と対向接点部２２４との間の距離は、第１信号コンタクト３００の接点部３８０と対向接点部３２４との間の距離よりも小さい。このような設定をしていることから、本実施の形態による保持部材２００と第１信号コンタクト３００とは同一の形状を有する部材であるにもかかわらず、アクチュエータ５００が開状態にあるときに、保持部材２００によりＦＰＣ５０をコネクタ１０に対して仮保持することができる。
【００４１】
図９から理解されるように、アクチュエータ５００が開状態にあるとき、突出部３７０は、受容部１４に受容されたＦＰＣ５０の＋Ｚ側（上方）に位置している。一方、図１２から理解されるように、アクチュエータ５００が閉状態にあるとき、突出部３７０の接点部３８０は、受容部１４に受容されたＦＰＣ５０の端子５４に対して押し付けられている。即ち、アクチュエータ５００が開状態にあるときと比較して、アクチュエータ５００が閉状態にあるときの接点部３８０と対向接点部３２４との間の距離は狭い。なお、アクチュエータ５００が閉状態にあり、接点部３８０が端子５４に押し付けられているとき、第１信号コンタクト３００の係止部３９０は、ＦＰＣ５０には接触しておらず、ＦＰＣ５０の＋Ｚ側（上方）に離れて位置している。従って、係止部３９０がＦＰＣ５０を傷つけることはない。
【００４２】
図６及び図１０と図１３とを比較すれば理解されるように、本実施の形態による第２接触用カム５３２は、アクチュエータ５００が開状態（図６及び図１０参照）にあるときには第２信号コンタクト４００の被押圧部４６０に接触していないが、アクチュエータ５００が閉状態（図１３参照）にあるときには第２信号コンタクト４００の被押圧部４６０に接触している。そのため、本実施の形態による被押圧部４６０は、アクチュエータ５００が閉状態にあるときのみ、第２接触用カム５３２から押圧され、＋Ｚ方向に向かう力を受けている。即ち、アクチュエータ５００が開状態にあるときと閉状態にあるときとでは、第２接触用カム５３２は、被押圧部４６０に対して異なる力を加えている。正確には、本実施の形態による第２接触用カム５３２は、アクチュエータ５００が開状態にあるとき、被押圧部４６０に対して力を加えておらず、一方、アクチュエータ５００が閉状態にあるとき、被押圧部４６０に対して力を与えている。それにより、アクチュエータ５００が閉状態にあるときの突出部４８０は、アクチュエータ５００が開状態にあるときと比較して、−Ｚ側（下側）に位置している。また、第２接触用カム５３２は、アクチュエータ５００が閉状態にあるときのみ、被押圧部４６０と後側基部４３０（基部４１０）とにより挟持されている。
【００４３】
図１０から理解されるように、アクチュエータ５００が開状態にあるとき、突出部４８０は、受容部１４に受容されたＦＰＣ５０の＋Ｚ側（上方）に位置している。一方、図１３から理解されるように、アクチュエータ５００が閉状態にあるとき、突出部４８０の接点部４９０は、受容部１４に受容されたＦＰＣ５０の端子５６に対して押し付けられている。即ち、アクチュエータ５００が開状態にあるときと比較して、アクチュエータ５００が閉状態にあるときの接点部４９０と対向接点部４４２との間の距離は狭い。
【００４４】
上述した説明から理解されるように、本実施の形態による接点部３８０と対向接点部３２４との間の距離及び接点部４９０と対向接点部４４２との間の距離は、ＦＰＣ５０の厚みよりも大きい。従って、ＦＰＣ５０を受容部１４に受容させる際にＦＰＣ５０に加わる力は保持部材２００からのものだけとなる。即ち、保持部材２００に起因してＦＰＣ５０を受容部１４に受容させにくくなるということはない。
【００４５】
以上、本発明の実施の形態によるコネクタ１０について具体的に説明してきたが、本発明は、これに限定されるわけではない。
【００４６】
例えば、上述した実施の形態においては、アクチュエータ５００が開状態にあるとき、アクチュエータ５００以外の部材を用いて（例えば、ハウジング１００等を変形し、その一部を用いて）保持部材２００に力を加え、突出部２７０を−Ｚ側に向けて押圧することとしてもよい。
【００４７】
また、仮保持の機能を要しない場合には、アクチュエータ５００が開状態にあるとき、保持部材２００を第１信号コンタクト３００と同様に無負荷状態としてもよい。この場合であっても、保持部材２００と第１信号コンタクト３００とを同一形状の部材で構成することにより、アクチュエータ５００が閉状態にあるときに、一方（保持部材２００）はＦＰＣ５０の保持機能を提供しつつ、他方（第１信号コンタクト３００）は電気的接触を図る機能を提供することを部品種別数を増やすことなく実現することができるという利点は得ることができる。
【００４８】
更に、上述した実施の形態において、第１接触用カム５２２は、アクチュエータ５００が開状態にあるとき、第１信号コンタクト３００の被押圧部３５０に対して接触しない（力を加えない）ように構成されていたが、アクチュエータ５００が開状態にあるときであっても第１信号コンタクト３００の被押圧部３５０に対して力を加えるように構成してもよい。但し、力が加わりすぎると、ＦＰＣ５０の受容部１４への受容をスムーズに行うことができなくなるため、本実施の形態のように、アクチュエータ５００が開状態にあるときには、第１接触用カム５２２と被押圧部３５０とは互いに力を与えないように配置することが好ましい。
【００４９】
上述した実施の形態において、保持部材２００は前側基部２２０を有するものであり、第１信号コンタクト３００は前側基部３２０を有するものであったが、保持部材２００は前側基部２２０を有さないものであってもよく、また、第１信号コンタクト３００は前側基部３２０を有さないものであってもよい。
【００５０】
上述した実施の形態によるコネクタ１０は、バックフリップタイプのものであったが、本発明は、フロントフリップタイプのコネクタに対しても適用することができる。
【符号の説明】
【００５１】
１０        コネクタ
１２        前端
１４        受容部
５０        ＦＰＣ（接続対象物）
５２        端部
５４，５６        端子
６０        凹部
６２        被係止部
１００        ハウジング
１１０        第１保持部
１１２        第１被圧入部
１２０        第２保持部
１２２        第２被圧入部
２００        保持部材
２１０        基部
２２０        前側基部
２２２        圧入部
２２４        対向接点部
２３０        後側基部
２３２        抜け止め突起
２４０        立設部
２５０        被押圧部
２６０        支持部
２７０        突出部
２７２        後縁
２７４        端部
２７６        端部
２８０        接点部
２９０        係止部
３００        第１信号コンタクト（信号コンタクト）
３１０        基部
３２０        前側基部
３２２        圧入部
３２４        対向接点部
３３０        後側基部
３３２        抜け止め突起
３４０        立設部
３５０        被押圧部
３６０        支持部
３７０        突出部
３８０        接点部
３９０        係止部
４００        第２信号コンタクト
４１０        基部
４２０        前側基部
４３０        後側基部
４３２        圧入部
４４０        対向支持部
４４２        対向接点部
４５０        立設部
４６０        被押圧部
４７０        支持部
４８０        突出部
４９０        接点部
５００        アクチュエータ
５１０，５２０，５３０        収容溝
５１２        保持用カム
５２２        第１接触用カム（接触用カム）
５３２        第２接触用カム
【図１】
0005392929.tif 000002
【図２】
0005392929.tif 000003
【図３】
0005392929.tif 000004
【図４】
0005392929.tif 000005
【図５】
0005392929.tif 000006
【図６】
0005392929.tif 000007
【図７】
0005392929.tif 000008
【図８】
0005392929.tif 000009
【図９】
0005392929.tif 000010
【図１０】
0005392929.tif 000011
【図１１】
0005392929.tif 000012
【図１２】
0005392929.tif 000013
【図１３】
0005392929.tif 000014
【図１４】
0005392929.tif 000015
【図１５】
0005392929.tif 000016